(57)【特許請求の範囲】
【請求項１】
音高がそれぞれ割り当てられていて、演奏者によって押離鍵操作されて揺動する複数の鍵と、
前記複数の鍵を支持するフレームとを備え、
前記複数の鍵にそれぞれ設けられた鍵側支持部と、前記複数の鍵に対応して前記フレームにそれぞれ設けられたフレーム側支持部とを係合させて形成されたそれぞれの係合部を、前記複数の鍵の揺動中心とした鍵盤装置において、
前記鍵側支持部は、前後方向に間隔をおいて設けられた複数の第１支持部からなり、
前記フレーム側支持部は、前記複数の第１支持部にそれぞれ対応していて、前後方向に間隔をおいて設けられた複数の第２支持部からなり、
前記係合部は、前記複数の第１支持部のうちの１つの第１支持部と、前記１つの第１支持部に対応する１つの第２支持部とを、中間部材を介して係合させて形成されていることを特徴とする鍵盤装置。
【請求項２】
請求項１に記載の鍵盤装置において、
前記音高は、音域及び音名によって表され、
前記複数の鍵のうち、前記割り当てられた音高の音域が異なっていて、かつ音名が同一である鍵の前記鍵側支持部の前後方向の位置を同一にしたことを特徴とする鍵盤装置。
【請求項３】
請求項２に記載の鍵盤装置において、
前記複数の鍵のうち、前記割り当てられた音高の音域が同一であって、かつ音名が異なる鍵の前記鍵側支持部の前後方向の位置を互いに異ならせたことを特徴とする鍵盤装置。
【請求項４】
請求項３に記載の鍵盤装置において、
前記複数の鍵に、前記割り当てられた音高の音名を表す識別子をそれぞれ設けたことを特徴とする鍵盤装置。
【請求項５】
請求項１乃至４のうちのいずれか１つに記載の鍵盤装置において、
前記鍵の前端に近い前記係合部ほど、前記鍵の上面からの距離を大きくしたことを特徴とする鍵盤装置。
【請求項６】
請求項１乃至５のうちのいずれか１つに記載の鍵盤装置において、
前記鍵側支持部は、それぞれ等間隔に配置された少なくとも３つの前記第１支持部からなることを特徴とする鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、アコースティックピアノの鍵タッチ感（押離鍵操作に対する反力）を模擬するために、割り当てられた音高が高い鍵ほど、鍵の前端の鍵タッチ感を軽くした電子楽器の鍵盤装置は知られている。この鍵盤装置においては、鍵にそれぞれ係合して揺動し、それぞれの鍵の押離鍵操作に対する反力を付与する複数のハンマーを備えている。そして、低音部の鍵から高音部の鍵に向かうに従って、後端部に設けられた鍵の揺動中心から鍵の前端までの長さを徐々に長くしている。また、鍵の揺動中心から、ハンマーと鍵との係合位置までの距離を、全ての鍵について同一にしている。
【先行技術文献】
【特許文献】
【０００３】
【特許文献１】特許３０７４７９４号公報
【発明の概要】
【０００４】
上記のように、鍵ごとに、鍵の揺動中心から鍵の前端までの長さが異なると、鍵を樹脂成形によって一体的に形成するためには、鍵ごとに金型を製作する必要が有り、コストがかかる。
【０００５】
本発明は上記問題を解決するためになされたものであり、その目的は、割り当てられた音高が異なる少なくとも２つの鍵の揺動中心から鍵の前端までの長さを異ならせた鍵盤装置のコストを削減することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
前記目的を達成するため、本発明の特徴は、音高がそれぞれ割り当てられていて、演奏者によって押離鍵操作されて揺動する複数の鍵（１１ｗ，１１ｂ）と、複数の鍵を支持するフレーム（１２）とを備え、複数の鍵にそれぞれ設けられた鍵側支持部（ＳＫ）と、複数の鍵に対応してフレームにそれぞれ設けられたフレーム側支持部（ＳＦ）とを係合させて形成されたそれぞれの係合部を、複数の鍵の揺動中心とした鍵盤装置において、鍵側支持部は、前後方向に間隔をおいて設けられた複数の第１支持部（ｓｋ１，ｓｋ２，ｓｋ３，ｓｋ４）からなり、フレーム側支持部は、複数の第１支持部にそれぞれ対応していて、前後方向に間隔をおいて設けられた複数の第２支持部（ｓｆ１，ｓｆ２，ｓｆ３，ｓｆ４）からなり、前記係合部は、前記複数の第１支持部のうちの１つの第１支持部と、前記１つの第１支持部に対応する１つの第２支持部とを、中間部材（ＰＮ）を介して係合させて形成されていることにある。この場合、鍵側支持部は、それぞれ等間隔に配置された少なくとも３つの第１支持部からなるとよい。
【０００７】
上記のように構成すれば、適用する電子楽器の種類に応じて、複数の第１支持部のうちの１つの支持部と、前記複数の第１支持部のうちの１つの支持部に対応する１つの第２支持部を選択して、前記選択した１組の支持部を、中間部材を介して係合させることにより、前記電子楽器の種類に応じた鍵タッチ感の特性を備えた鍵盤装置を構成できる。言い換えれば、前記１組の支持部を変更することにより、異なる鍵タッチ感の特性を備える鍵盤装置を構成できる。このように、鍵タッチ感の特性の異なる複数種類の鍵盤装置において、鍵及びフレームを共通に用いることができる。したがって、前記複数種類の鍵盤装置全体として初期費用を削減できる。また、部品の種類を減らすことができるので、部品の管理費を削減できる。
【０００８】
また、本発明の他の特徴は、音高は、音域及び音名によって表され、複数の鍵のうち、前記割り当てられた音高の音域が異なっていて、かつ音名が同一である鍵の鍵側支持部の前後方向の位置を同一にしたことにある。
【０００９】
これによれば、割り当てられた音名が同じ複数の鍵を、それぞれの鍵の鍵側支持部を構成する複数の第１支持部のうち、前後方向の位置が互いに異なる第１支持部にて支持すれば、前記割り当てられた音名が同じ複数の鍵の構成を共通としつつ、鍵の揺動中心から鍵の前端までの距離を異ならせることができる。このように、割り当てられた音名が同じ複数の鍵の構成を共通にできるので、音域が広い鍵盤装置であっても、一部の音域（例えば、１オクターブ以内）に属する鍵を形成するための設備を設けるだけでよく、初期費用を削減できる。また、部品の種類を減らすことができるので、部品の管理費を削減できる。
【００１０】
また、本発明の他の特徴は、複数の鍵のうち、前記割り当てられた音高の音域が同一であって、かつ音名が異なる鍵の鍵側支持部の前後方向の位置を互いに異ならせたことにある。これによれば、所定の音域（例えば、１オクターブ）に属する鍵のそれぞれの揺動中心の位置を微妙に異ならせることにより、それぞれの鍵の鍵タッチ感を微妙に調整することができる。
【００１１】
また、本発明の他の特徴は、複数の鍵に、前記割り当てられた音高の音名を表す識別子をそれぞれ設けたことにある。割り当てられた音名が異なっていても、外形が互いに近似している鍵もある。とくに黒鍵は、音名が異なっていても、外形は同一である。そこで、上記のように識別子を設けておけば、一見して割り当てられている音名を識別できるので、鍵盤装置の組み立て性を向上させることができる。
【００１２】
また、本発明の他の特徴は、鍵の前端に近い係合部ほど、鍵の上面からの距離を大きくしたことにある。係合させる第１支持部及び第２支持部が鍵の前端に近いほど、鍵を押離鍵操作したとき、鍵の後端の揺動範囲が大きくなる。そこで、上記のように構成しておけば、鍵の前端側に位置する支持部同士を係合させた場合であっても、鍵の後端がそれほど高い位置まで上昇することが無い。したがって、鍵盤装置を適用する電子楽器本体において、鍵の後端との緩衝を避けるための大きなスペースが不要となるので、電子楽器をより小さくできる。
【図面の簡単な説明】
【００１３】
【図１】本発明の一実施形態に係る鍵盤装置の全体概略図である。
【図２】図１の鍵盤装置の中音部の白鍵についての右側面図である。
【図３】図１の鍵盤装置の中音部の黒鍵についての右側面図である。
【図４】図２のＡ−Ａ断面図である。
【図５】質量体の質量の特性を示す特性図である。
【図６】鍵タッチ感の特性を示す特性図である。
【図７】本発明の変形例に係る鍵盤装置の全体概略図である。
【図８】本発明の他の変形例に係る鍵盤装置の全体概略図である。
【発明を実施するための形態】
【００１４】
以下、本発明の一実施形態について図面を用いて説明する。以下の説明では、演奏者に近い側を「前側」とし、演奏者から遠い側を「後側」とする。また、高音部側を「右側」とし、低音部側を「左側」とする。また、音高を音名（Ｃ，Ｃ＃，Ｄ・・・Ｂ）及びオクターブ番号（「３」〜「６」）を用いて表記する。
【００１５】
この鍵盤装置は、図１に示すように、複数の白鍵１１ｗ及び複数の黒鍵１１ｂを有している。この鍵盤装置の全体の音域（Ｃ３〜Ｃ６）は、低音部Ｌ（Ｃ３〜Ｂ３）、中音部Ｍ（Ｃ４〜Ｂ４）及び高音部Ｈ（Ｃ５〜Ｃ６）の３つの音域に分割されている。白鍵１１ｗ及び黒鍵１１ｂには、それぞれ音高が割り当てられている。以下、白鍵１１ｗ及び黒鍵１１ｂの説明において、割り当てられた音高を特定する必要があるときは、符号に音高を付して、白鍵１１ｗ（Ｃ３），黒鍵１１ｂ（Ｃ＃３）・・・白鍵１１ｗ（Ｃ６）のように表記する。
【００１６】
音名が同じであって、オクターブ番号が異なる鍵同士の構成は共通である。例えば、白鍵１１ｗ（Ｃ３）、白鍵１１ｗ（Ｃ４）及び白鍵１１ｗ（Ｃ５）の構成は共通である。また、例えば、黒鍵１１ｂ（Ｃ＃３）、黒鍵１１ｂ（Ｃ＃４）及び黒鍵１１ｂ（Ｃ＃５）の構成は共通である。したがって、中音部Ｍに属する白鍵１１ｗ及び黒鍵１１ｂについてのみ説明し、低音部Ｌ及び高音部Ｈに属する白鍵１１ｗ及び黒鍵１１ｂに説明を省略する。なお、白鍵１１ｗ（Ｃ６）の右側には黒鍵１１ｂが配置されないので、白鍵１１ｗ（Ｃ６）の外形は、白鍵１１ｗ（Ｃ３）、白鍵１１ｗ（Ｃ４）及び白鍵１１ｗ（Ｃ５）の外形とは異なるが、他の部分の構成については白鍵１１ｗ（Ｃ３）、白鍵１１ｗ（Ｃ４）及び白鍵１１ｗ（Ｃ５）と共通である。
【００１７】
つぎに、中音部Ｍに属する白鍵１１ｗ及び黒鍵１１ｂの構成について説明する。白鍵１１ｗは、図２に示すように、樹脂成型により一体的に形成される。白鍵１１ｗは、前後方向に延設された薄肉の上壁及び上壁の左右端からそれぞれ下方へ延設された薄肉の側壁を有し、下方に開放した中空状に形成されている。白鍵１１ｗは、前部及び後部からなる。後部の左右方向の幅は、前部の左右方向の幅に比べて狭い。後部は、前部の後端から後方へ延設されていて、割り当てられた音名によって、後部と前部との左右方向の接続位置が異なっている。すなわち、白鍵１１ｗの外形は、割り当てられた音名によって異なるが、外形が互いに近似している白鍵１１ｗもある。そこで、白鍵１１ｗを割り当てられた音名ごとに識別するために、白鍵１１ｗの上面の後端部には、音名を表す識別子が設けられている。この識別子は、樹脂成型により鍵本体と一体的に設けられている。ただし、識別子を樹脂成型によって鍵本体と一体的に設けなくてもよく、樹脂成型によって平らに形成された鍵の上面に、識別子を刻印してもよいし、音名を印刷したラベルを貼り付けてもよい。なお、本実施形態においては、白鍵１１ｗ（Ｃ６）にも識別子を設けている。しかし、白鍵１１ｗ（Ｃ６）は、前端から後端まで左右方向の幅が一定であって、他の鍵と混同する虞が無いので、白鍵１１ｗ（Ｃ６）には識別子を設けなくてもよい。
【００１８】
黒鍵１１ｂも、図３に示すように、樹脂成型により一体的に形成される。黒鍵１１ｂは、前後方向に延設された薄肉の上壁及び上壁の左右端からそれぞれ下方へ延設された薄肉の側壁を有し、下方に開放した中空状に形成されている。黒鍵１１ｂの左右方向の幅は、前端から後端まで一定である。また、黒鍵１１ｂは、白鍵１１ｗに比べて上下方向の幅が大きい。また、黒鍵１１ｂの左右方向の幅は、白鍵１１ｗの前部の左右方向の幅に比べて大きい。このように、黒鍵１１ｂは、割り当てられた音名が異なっていても、外形は同一である。そこで、黒鍵１１ｂを割り当てられた音名ごとに識別するために、黒鍵１１ｂの上面の後端部には、音名を表す識別子が設けられている。この識別子は、白鍵１１ｗの識別子と同様に、樹脂成型により鍵本体と一体的に設けられている。ただし、この場合も、識別子を樹脂成型によって鍵本体と一体的に設けなくてもよく、樹脂成型によって平らに形成された鍵の上面に、識別子を刻印してもよいし、音名を印刷したラベルを貼り付けてもよい。
【００１９】
白鍵１１ｗ及び黒鍵１１ｂの後端部の上壁の下面には、支持部ＳＫが形成されている。支持部ＳＫは、前後方向に等間隔に形成された４つの支持板ｓｋ１乃至支持板ｓｋ４からなる。支持板ｓｋ１乃至支持板ｓｋ４は、この順に、各鍵の後端側から前端側へ向かって配置されている。支持板ｓｋ１乃至支持板ｓｋ４は、各鍵の上壁の下面から下方へ延設された左右方向に薄肉の板状に形成されている。白鍵１１ｗ及び黒鍵１１ｂの後端部の上壁は、前端側から後端側へ向かうに従って徐々に低くなるように傾斜している。支持板ｓｋ１乃至支持板ｓｋ４のうち、鍵の前端側に位置する支持板ほど上下方向の長さが大きくなっている。支持板ｓｋ１乃至支持板ｓｋ４のそれぞれの下端部には、貫通孔ｓｋ１ａ乃至貫通孔ｓｋ４ａが設けられている。貫通孔ｓｋ１ａ乃至貫通孔ｓｋ４ａの高さは同一である。上記のように、白鍵１１ｗ及び黒鍵１１ｂの後端部の上壁が傾斜しているので、貫通孔ｓｋ１ａ乃至貫通孔ｓｋ４ａのうち、鍵の前端側に位置する貫通孔ほど、鍵の上面からの距離が大きくなっている。白鍵１１ｗの左右の側壁には、貫通孔ｓｋ１ａ乃至貫通孔ｓｋ４ａと中心軸をそれぞれ共通とする貫通孔ｋｗ１乃至貫通孔ｋｗ４が設けられている。また、黒鍵１１ｂの左右の側壁には、貫通孔ｓｋ１ａ乃至貫通孔ｓｋ４ａと中心軸をそれぞれ共通とする貫通孔ｋｂ１乃至貫通孔ｋｂ４が設けられている。白鍵１１ｗ（Ｃ４），黒鍵１１ｂ（Ｃ＃４）・・・白鍵１１ｗ（Ｂ４）を、割り当てられた音高順に配置した状態において、低音側の鍵から高音側の鍵へ向かうに従って、支持部ＳＫが、徐々にそれぞれの鍵の前端に近づくように設定されている（図１参照）。なお、図１において黒点で示した位置に、支持板ｓｋ１乃至支持板ｓｋ４が設けられている。また、白鍵１１ｗ（Ｂ４）の支持板ｓｋ１は、白鍵１１ｗ（Ｃ４）の支持板ｓｋ２よりもやや後方に位置している。そして、それぞれの鍵の支持板ｓｋ１乃至支持板ｓｋ４のうち、音域に応じた１つの支持板が、次に説明する鍵フレーム１２に設けられた支持部ＳＦに係合している。
【００２０】
鍵フレーム１２は、樹脂成型により一体的に形成されている。鍵フレーム１２は、前後方向及び左右方向に延設された前板１２ａ及び後板１２ｂを有する。後板１２ｂの上面には、鍵ごとに支持部ＳＦが設けられている。支持部ＳＦは、前後方向に等間隔に形成された４つの支持体ｓｆ１乃至支持体ｓｆ４からなる。支持体ｓｆ１乃至支持体ｓｆ４は、後板１２ｂの上面から上方へ突出するように形成されている。支持体ｓｆ１乃至支持体ｓｆ４は、それぞれ支持板ｓｋ１乃至支持板ｓｋ４の下方に位置している。すなわち、図１において黒点で示した位置に、支持体ｓｆ１乃至支持板ｓｆ４が設けられている。このように、支持部ＳＦも、支持部ＳＫと同様に、低音側から高音側へ向かうに従って、後板１２ｂの前端に徐々に近づくように配置されている。支持体ｓｆ１乃至支持体ｓｆ４は、それぞれ板状に形成された左右一対の板状部からなる。支持体ｓｆ１乃至支持体ｓｆ４の左右一対の板状部には、互いに対向するようにして貫通孔ｓｆ１ａ乃至貫通孔ｓｆ４ａがそれぞれ形成されている。貫通孔ｓｆ１ａ乃至貫通孔ｓｆ４ａの後板１２ｂの上面からの距離は同一である。白鍵１１ｗ及び黒鍵１１ｂの離鍵状態（すなわち、鍵の押鍵深さが「０」である状態）において、貫通孔ｓｆ１ａ乃至貫通孔ｓｆ４ａの上下方向及び前後方向の位置は、貫通孔ｓｋ１ａ乃至貫通孔ｓｋ４ａの上下方向及び前後方向の位置と一致している。
【００２１】
中音部Ｍにおいては、図４に示すように、貫通孔ｋｗ２、貫通孔ｓｆ２ａ及び貫通孔ｓｋ２ａの位置を合わせておいて、貫通孔ｋｗ２、貫通孔ｓｆ２ａ及び貫通孔ｓｋ２ａにピンＰＮを挿入する。これにより、白鍵１１ｗは、ピンＰＮの回りに回転可能に支持され、白鍵１１ｗの前端部が上下方向に揺動可能となっている。また、中音部Ｍの黒鍵１１ｂについても、白鍵１１ｗと同様に、貫通孔ｋｂ２、貫通孔ｓｆ２ａ及び貫通孔ｓｋ２ａにピンＰＮを挿入する。これにより、黒鍵１１ｂは、ピンＰＮの回りに回転可能に支持され、黒鍵１１ｂの前端部が上下方向に揺動可能となっている。また、低音部Ｌにおいては、貫通孔ｋｗ１、貫通孔ｓｆ１ａ及び貫通孔ｓｋ１ａにピンＰＮが挿入され、白鍵１１ｗが揺動可能に支持されており、貫通孔ｋｂ１、貫通孔ｓｆ１ａ及び貫通孔ｓｋ１ａにピンＰＮが挿入され、黒鍵１１ｂが揺動可能に支持されている。また、高音部Ｈにおいては、貫通孔ｋｗ３、貫通孔ｓｆ３ａ及び貫通孔ｓｋ３ａにピンＰＮが挿入され、白鍵１１ｗが揺動可能に支持されており、貫通孔ｋｂ３、貫通孔ｓｆ３ａ及び貫通孔ｓｋ３ａにピンＰＮが挿入され、黒鍵１１ｂが揺動可能に支持されている。白鍵１１ｗ（Ｃ６）は、高音部Ｈに属しているが、貫通孔ｋｗ４、貫通孔ｓｆ４ａ及び貫通孔ｓｋ４ａにピンＰＮが挿入されている。これにより、白鍵１１ｗ（Ｃ６）が揺動可能に支持されている。なお、図１において丸印で示した位置にある支持板及び支持体が、ピンＰＮによって係合されている。また、離鍵状態における、白鍵１１ｗの上面の位置は、全ての白鍵１１ｗについて共通であり、黒鍵１１ｂの上面の位置は、全ての黒鍵１１ｂについて共通である。
【００２２】
各鍵の揺動時において、ピンＰＮによって係合された支持板よりも前方にある支持板は、それらの支持板に対応する支持体を構成する対向する一対の板状部の間を通過する。例えば、中音部Ｍの鍵の揺動時においては、支持板ｓｋ３は、支持体ｓｆ３を構成する一対の板状部の間を通過し、支持板ｓｋ４は、支持体ｓｆ４を構成する一対の板状部の間を通過する。
【００２３】
前板１２ａ及び後板１２ｂには、下方に延設された複数のリブ１２ｄの上端部が一体的に接続されている。リブ１２ｄは、左右方向に薄肉で、前後方向に延設されており、左右方向に所定の間隔をおいて設けられている。また、リブ１２ｄは、前板１２ａの前端よりも前方へ張り出している。この張り出した部分に、後述のレール部１７，１９，２１が設けられる。
【００２４】
また、白鍵１１ｗの中間部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。一方、黒鍵１１ｂも白鍵１１ｗと同様の駆動部１１ｂ１を有する。黒鍵１１ｂは、離鍵状態において白鍵１１ｗの上面よりも上方に突出した部分（以下、黒鍵１１ｂの見え掛り部という。）の前端から下方へ延設された後、僅かに前方へ湾曲させられた連結部を有し、この連結部の先端に、駆動部１１ｂ１の上端が接続されている。駆動部１１ｗ１と駆動部１１ｂ１の前後方向の位置は同一であり、駆動部１１ｗ１と駆動部１１ｂ１の下端壁の上下方向の位置も同一である。すなわち、駆動部１１ｗ１及び駆動部１１ｂ１は、黒鍵１１ｂの見え掛り部の前端よりも前方に位置する。前板１２ａの前方に設けられた上下に開口した開口部内にて、駆動部１１ｗ１及び駆動部１１ｂ１の下端部が、ハンマー１６ｗ及びハンマー１６ｂの前端部にそれぞれ係合している。
【００２５】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｗ２及び質量体１６ｂ３からなる。基部１６ｗ１及び基部１６ｂ１は、板状の部材であって、右側面から左側面に貫通する貫通孔Ｈｗ及び貫通孔Ｈｂを有する。また、隣り合うリブ１２ｄの下端部を繋ぐようにして、レール部１７が延設されている。レール部１７は、前板１２ａ及び後板１２ｂに比べて前後方向の幅が狭い。レール部１７の上面には、上方に突出するようにして、ハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗ及びハンマー支持部１８ｂの前後方向の位置は、全てのハンマー１６ｗ及びハンマー１６ｂについて共通である。
【００２６】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの衝撃吸収材が嵌め込まれて固着されている。この衝撃吸収材は、駆動部１１ｗ１と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和している。
【００２７】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、それぞれ後方へ延設されている。連結棒１６ｗ２と連結棒１６ｂ２の後端の前後方向の位置は同一である。そして、次に説明する質量体１６ｗ３及び質量体１６ｂ３の後端が白鍵１１ｗ及び黒鍵１１ｂの後端よりも僅かに前方に位置するように、連結棒１６ｗ２及び連結棒１６ｂ２の長さが調整されている。
【００２８】
上記のように、割り当てられた音高によって、鍵の支点の位置が異なる。すなわち、音高によって、白鍵１１ｗの揺動中心から脚部Ｆｗ２における駆動部１１ｗ１との当接部Ｐｗ１までの距離が異なる。また、割り当てられた音高によって、黒鍵１１ｂの揺動中心から脚部Ｆｂ２における駆動部１１ｂ１との当接部Ｐｂ１までの距離が異なる。さらに、白鍵１１ｗにおいては、押離鍵操作される可能性のある位置の前端である押離鍵操作位置Ｗ０が当接部Ｐｗ１よりも前方に位置するのに対して、黒鍵１１ｂにおいては、押離鍵操作される可能性のある位置の前端（すなわち、見え掛り部の前端）である押離鍵操作位置Ｂ０が当接部Ｐｂ１の後方に位置している。したがって、全ての鍵について質量体１６ｗ３及び質量体１６ｂ３の質量が同一であれば、てこの原理によって、押離鍵操作位置Ｗ０，Ｂ０においては、低音部Ｌよりも中音部Ｍの鍵タッチ感が重く、中音部Ｍよりも高音部Ｈの鍵タッチ感がさらに重くなる。また、この場合、各音域における白鍵１１ｗと黒鍵１１ｂの鍵タッチ感が統一されない。すなわち、白鍵１１ｗの鍵タッチ感に比べて黒鍵１１ｂの鍵タッチ感の方が重くなる。そこで、図５に示すように、質量体１６ｗ３及び質量体１６ｂ３の質量を鍵ごとに調整して、図６に一点鎖線で示すように、押離鍵操作位置Ｗ０，Ｂ０における鍵タッチ感を、低音から高音へ向かうに従って徐々に軽くしている。したがって、図６に破線で示すように、押離鍵操作位置Ｗ０，Ｂ０からそれぞれ距離ｄだけ後方に位置する押離鍵操作位置Ｗ１，Ｂ１における鍵タッチ感も、低音から高音へ向かうに従って徐々に軽くなっている。ただし、上記のように、鍵の揺動中心から鍵の前端までの長さが鍵ごとに異なるので、押離鍵操作位置Ｗ０，Ｂ０における鍵タッチ感と、押離鍵操作位置Ｗ１，Ｂ１における鍵タッチ感との差は、低音から高音に向かうに従って大きくなる。すなわち、押離鍵操作位置の前後方向の違いによる鍵タッチ感の違いは、低音部Ｌにおいて小さく、中音部Ｍにおいて中程度であり、高音部Ｈにおいて大きい。
【００２９】
白鍵１１ｗ及び黒鍵１１ｂの離鍵時には、ハンマー１６ｗ及びハンマー１６ｂは、自重により、前端部が上方へ変位する。このとき、脚部Ｆｗ２及び脚部Ｆｂ２により駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１の下端面が脚部Ｆｗ２及び脚部Ｆｂ２の上面をそれぞれ押圧し、ハンマー１６ｗ及びハンマー１６ｂの前端部がそれぞれ下方へ変位する。
【００３０】
また、隣り合うリブ１２ｄの前端部を繋ぐようにして、レール部１９が左右方向に延設されている。レール部１９の前後方向の幅は、前板１２ａ及び後板１２ｂの前後方向の幅に比べて狭い。レール部１９の上面から上方に突出するようにして、白鍵１１ｗの揺動をガイドするための鍵ガイド１９ｗが形成されている。鍵ガイド１９ｗは、白鍵１１ｗに下方から侵入しており、押離鍵時に鍵ガイド１９ｗの側面と白鍵１１ｗの側壁の内側の面が摺接するようになっている。これにより、押離鍵時の白鍵１１ｗの左右方向の微少な変位を抑制している。
【００３１】
また、隣り合うリブ１２ｄの上端部であって、黒鍵１１ｂの見え掛り部の前端部の下方に位置する部分を繋ぐようにして、レール部２１が左右方向に延設されている。レール部２１の前後方向の幅は、前板１２ａ及び後板１２ｂの前後方向の幅に比べて狭い。レール部２１の上面から上方に突出するようにして、黒鍵１１ｂの揺動をガイドするための鍵ガイド２１ｂが形成されている。鍵ガイド２１ｂは、黒鍵１１ｂに下方から侵入しており、押離鍵時に鍵ガイド２１ｂの側面と黒鍵１１ｂの側壁の内側の面が摺接するようになっている。これにより、押離鍵時の黒鍵１１ｂの左右方向の微少な変位を抑制している。
【００３２】
また、各リブ１２ｄの中間部には、上端から下方へ向かって方形状に切り欠いた、切り欠き１２ｄ１が設けられている。この切り欠き１２ｄ１を一体成型により形成するために、切り欠き１２ｄ１の上方に位置する前板１２ａの中間部には、上面から下面に貫通した方形状の貫通孔が設けられている。そして、前板１２ａの下面には、フエルトなどの衝撃吸収材によって構成した長尺状の下限ストッパ２２が、リブ１２ｄの切り欠き１２ｄ１を通って、左右方向に延設されて固着されている。この下限ストッパ２２は、押鍵時にハンマー１６ｗ及びハンマー１６ｂの後部に当接して、ハンマー１６ｗ及びハンマー１６ｂの後端部の上方への変位を規制することにより、白鍵１１ｗ及び黒鍵１１ｂの前端部の下方への変位を規制する。また、フレームＦＲの後部には、フエルトなどの衝撃吸収材によって構成した上限ストッパ２３が、固着されている。離鍵時において、質量体１６ｗ３及び質量体１６ｂ３の下面に当接して、ハンマー１６ｗ及びハンマー１６ｂの後端部の下方への変位を規制することにより、白鍵１１ｗ及び黒鍵１１ｂの前端部の上方への変位を規制する。
【００３３】
また、白鍵１１ｗ及び黒鍵１１ｂの中間部の下面には、スイッチ駆動部２４が設けられている。スイッチ駆動部２４は、基板２５上に配置されたスイッチＳＷの上面に当接している。スイッチＳＷは、鍵ごとに設けられ、各鍵の揺動に伴って押圧されて、各鍵の押離鍵状態を検出する。また、基板２５には、上面から下面に貫通した貫通孔が設けられている。この貫通孔の位置は、前板１２ａの上面に一体的に形成されたボス２６の位置に対応している。この貫通孔にねじを通してボス２６にねじ込むことにより、基板２５が、鍵フレーム１２に固定される。
【００３４】
また、リブ１２ｄとレール部１７の接続部には、ボス２７が形成されている。電子楽器のフレームＦＲに貫通孔を設けておいて、この貫通孔にねじを下方から通して、ボス２７にねじ込むことにより、この鍵盤装置が電子楽器のフレームＦＲに固定される。
【００３５】
また、リブ１２ｄとレール部１７の接続部には、ボス２７が形成されている。電子楽器のフレームＦＲに貫通孔を設けておいて、この貫通孔にねじを下方から通して、ボス２７にねじ込むことにより、この鍵盤装置が電子楽器のフレームＦＲに固定される。
【００３６】
上記のように構成した鍵盤装置においては、各鍵に支持板ｓｋ１乃至支持板ｓｋ４からなる支持部ＳＫを設けるとともに、鍵フレーム１２に各鍵の支持板ｓｋ１乃至支持板ｓｋ４に対応した支持体ｓｆ１乃至支持体ｓｆ４からなる支持部ＳＦを設けた。そして、支持板ｓｋ１乃至支持板ｓｋ４のうち、音域（すなわち、オクターブ番号）に応じた１つの支持板と、前記１つの支持板に対応する支持体とを、ピンＰＮを用いて係合させて、各鍵が支持されるようにした。このように構成しておけば、適用する電子楽器の種類に応じて、係合する支持板及び支持体の組み合わせを異ならせることにより、鍵タッチ感の特性の異なる鍵盤装置を構成できる。このように、白鍵１１ｗ、黒鍵１１ｂ及び鍵フレーム１２を、複数種類の鍵盤装置において共通に用いることができるので、前記複数種類の鍵盤装置全体として初期費用を削減できる。また、部品の種類を減らすことができるので、部品の管理費を削減できる。
【００３７】
また、割り当てられた音名が同じであって、かつオクターブ番号が異なる鍵の構成を共通とした。そして、支持板ｓｋ１乃至支持板ｓｋ４のうち、オクターブ番号に応じた１つの支持板にて各鍵が支持されるようにした。これにより、割り当てられた音名が同じであって、かつオクターブ番号が異なる複数の鍵において、各鍵の揺動中心から前端までの距離を異ならせた。したがって、１オクターブの音域に属する１２種類の鍵を成形する金型を製作すればよく、これらの金型によって成形した鍵は、低音部Ｌ、中音部Ｍ及び高音部Ｈのいずれの音域の鍵としても用いることができる。すなわち、上記のように構成すれば、揺動中心から前端までの距離が異なる鍵ごとに金型を製作する場合に比べて、初期費用を削減できる。
【００３８】
また、支持板ｓｋ１乃至支持板ｓｋ４を等間隔に配置した。白鍵１１ｗ（Ｂ）の支持板ｓｋ１は、白鍵１１ｗ（Ｃ）の支持板ｓｋ２よりもやや後方に位置するようにした。そして、１オクターブの音域に属する鍵を、割り当てられた音名順に配置した状態において、低音側の鍵から高音側の鍵へ向かうに従って、それぞれの支持部ＳＫが徐々に鍵の前端に近づくようにした。また、低音部Ｌ、中音部Ｍ及び高音部Ｈに属する各鍵は、それぞれ支持板ｓｋ１、支持板ｓｋ２及び支持板ｓｋ３にて支持されるようにした。これにより、低音側から高音側に向かうに従って、揺動中心の位置が徐々に演奏者側に近づくように構成でき、近接する鍵の鍵タッチ感を微妙に異ならせて、図６に示すような鍵タッチ感の特性を有する鍵盤装置を構成できる。
【００３９】
また、白鍵１１ｗ及び黒鍵１１ｂに割り当てられた音名を表す識別子を設けた。したがって、白鍵１１ｗ及び黒鍵１１ｂを鍵フレーム１２に組み付ける作業の作業性を向上させることができる。
【００４０】
また、下限ストッパ２２によって、押鍵時におけるハンマー１６ｗ及びハンマー１６ｂの後端部の上方への変位を規制することにより、白鍵１１ｗ及び黒鍵１１ｂの前端部の下方への変位を規制した。すなわち、白鍵１１ｗ及び黒鍵１１ｂの押鍵深さの最大値は、音域に関わらず一定である。そして、白鍵１１ｗ及び黒鍵１１ｂの後端部の上壁を後端側に向かうに従って低くなるように傾斜させ、かつ貫通孔ｓｋ１ａ乃至貫通孔ｓｋ４ａ、及び貫通孔ｓｆ１ａ乃至貫通孔ｓｆ４ａの高さを同一にした。これにより、鍵の前端側の支持板及び支持体を係合させた場合であっても、押鍵深さが最大であるとき、鍵の後端はそれほど高い位置まで上昇しない。したがって、鍵盤装置を適用する電子楽器本体において、鍵の後端との緩衝を避けるための大きなスペースが不要となるので、電子楽器をより小さくできる。
【００４１】
さらに、本発明の実施にあたっては、上記実施形態に限定されるものではなく、本発明の目的を逸脱しない限りにおいて種々の変更が可能である。
【００４２】
例えば、図７に示すように、黒鍵１１ｂの支点が隣接する白鍵１１ｗの支点よりも後方に位置するようにしてもよい。すなわち、低音部Ｌの白鍵１１ｗの支持板ｓｋ２と、支持体ｓｆ２とをピンＰＮによって係合させ、低音部Ｌの黒鍵１１ｂの支持板ｓｋ１と、支持体ｓｆ１とをピンＰＮによって係合させてもよい。そして、中音部Ｍの白鍵１１ｗの支持板ｓｋ３と、支持体ｓｆ３とをピンＰＮによって係合させ、中音部Ｍの黒鍵１１ｂの支持板ｓｋ２と、支持体ｓｆ２とをピンＰＮによって係合させればよい。さらに、高音部Ｈの白鍵１１ｗの支持板ｓｋ４と、支持体ｓｆ４とをピンＰＮによって係合させ、高音部Ｈの黒鍵１１ｂの支持板ｓｆ３と、支持体ｓｆ３とをピンＰＮによって係合させればよい。なお、図７において丸印で示した位置にある支持板及び支持体が、ピンＰＮによって係合されている。
【００４３】
これによれば、近接する白鍵１１ｗと黒鍵１１ｂにおける揺動中心から鍵の前端までの距離を近似させることができるので、近接する白鍵１１ｗと黒鍵１１ｂの鍵タッチ感の違いをより小さくできる。また、上記実施形態と同じ白鍵１１ｗ、黒鍵１１ｂ及び鍵フレーム１２を用いて、鍵タッチ感の特性が異なる鍵盤装置を構成できる。すなわち、白鍵１１ｗ及び黒鍵１１ｂの構成は上記実施形態のままでよく、鍵フレームの構成を異ならせるだけで鍵タッチ感の特性の異なる鍵盤装置を構成できるので、鍵タッチ感の特性の異なる複数種類の鍵盤装置全体として、コストを削減できる。
【００４４】
また、上記実施形態においては、低音部Ｌ、中音部Ｍ及び高音部Ｈに属する鍵を、割り当てられた音高順に配置した状態の各音域内において、低音側の鍵から高音側の鍵に向かうに従って、支持部ＳＫが各鍵の前端に近づくようにした。これに代えて、各音域に属する鍵の支持部ＳＫの前後方向の位置を同一にしてもよい。この場合、図８に示すように、各音域に属するそれぞれの支持部ＳＦの前後方向の位置を同一とすればよい。そして、低音部Ｌの鍵の支持板ｓｋ１と支持体ｓｆ１とをピンＰＮによって係合させ、中音部Ｍに属の鍵の支持板ｓｋ２と支持体ｓｆ２とをピンＰＮにて係合させ、高音部Ｈの鍵の支持板ｓｋ３と支持体ｓｆ３とをピンＰＮによって係合させればよい。この場合、押離鍵操作位置Ｗ０，Ｂ０における鍵タッチ感と、押離鍵操作位置Ｗ１，Ｂ１における鍵タッチ感との差は、各音域内においては同一であり、低音域側から高音域側へ向かうに従って、前記鍵タッチ感の差が段階的に大きくなる。なお、図８において丸印で示した位置にある支持板及び支持体の位置が、ピンＰＮによって係合されている。
【００４５】
そして、図８の鍵盤装置の鍵及び鍵フレームを用いて、ピンＰＮによって係合される支持板及び支持体の前後方向の位置は、全ての鍵について同一であるようにしてもよい。例えば、音域に関わらず、各鍵の支持板ｓｋ１と支持体ｓｆ１とを係合させてもよい。この場合、押離鍵操作位置Ｗ０，Ｂ０における鍵タッチ感と、押離鍵操作位置Ｗ１，Ｂ１における鍵タッチ感との差が、全ての鍵において同一である。
【００４６】
上記のように構成すれば、黒鍵１１ｂは、割り当てられた音名に関係なく共通の構成であるので、黒鍵１１ｂには、識別子を設ける必要が無い。すなわち、金型の構成を簡略化でき、識別子を刻印する工程及び識別子を印刷したラベルも不要なので、コストをさらに削減できる。また、部品の管理コストをさらに削減できる。
【００４７】
また、上記実施形態及びその変形例においては、白鍵１１ｗ及び黒鍵１１ｂの後端部の上壁を後端側に向かうに従って低くなるように傾斜させた。しかし、電子楽器のスペースに余裕がある場合には、後端部の上壁を傾斜させる必要はなく、後端部よりも前方の部分の上壁と、後端部の上壁とが同一平面上に位置するようにしてもよい。
【００４８】
また、上記実施形態及びその変形例における鍵盤装置の音域は３オクターブであるが、より音域の広い鍵盤装置であってもよいし、逆に、より音域の狭い鍵盤装置であってもよい。また、上記実施形態においては、支持部ＳＫを支持板ｓｋ１乃至支持板ｓｋ４から構成したが、支持部ＳＫを構成する支持板の数は４つに限られず、２つ以上であればよい。そして、支持部ＳＦを構成する支持体ＳＦの数も４つに限られず、２つ以上であればよい。また、支持部ＳＫを構成する支持板を３つ以上設けた場合において、それぞれの支持板を等間隔に配置する必要はなく、目的の鍵タッチ感の特性に合わせて、それぞれの支持板の間隔を異ならせてもよい。そして、支持部ＳＫを構成する支持板の配置に応じて、それぞれの支持体の間隔を異ならせてもよい。
【００４９】
また、上記実施形態及びその変形例においては、支持部ＳＫを支持板ｓｋ１乃至支持板ｓｋ４から構成した。しかし、支持板ｓｋ１乃至支持板ｓｋ４設けなくてもよい。この場合、白鍵１１ｗの支持部ＳＫは、貫通孔ｋｗ１乃至貫通孔ｋｗ４から構成され、黒鍵の支持部ＳＫは、貫通孔ｋｂ１乃至貫通孔ｋｂ４から構成される。そして、支持体ｓｆ１乃至支持体ｓｆ４を構成する左右一対の板状部の間隔を上記実施形態よりも大きくして、左右の板状部のそれぞれの外側の側面が鍵の側壁の内面に当接するようにすればよい。貫通孔ｓｆ１ａ乃至貫通孔ｓｆ４ａの位置は、上記実施形態と同様である。そして、上記実施形態と同様に、ピンＰＮを用いて、支持部ＳＫと支持部ＳＦを係合させればよい。これによれば、白鍵１１ｗ及び黒鍵１１ｂを成形するための金型の構成をより簡略化できるので、初期費用をさらに削減できる。
【００５０】
また、上記実施形態及びその変形例においては、ハンマー１６ｗ及びハンマー１６ｂによって、それぞれ白鍵１１ｗ及び黒鍵１１ｂの前端側を上方へ付勢するようにした。しかし、ハンマー１６ｗ及びハンマー１６ｂに代えて、バネによって白鍵１１ｗ及び黒鍵１１ｂの前端を上方へ付勢してもよい。この場合、鍵ごとに、バネ定数及び離鍵状態におけるバネの付勢力を調整すればよい。
【００５１】
また、上記実施形態及びその変形例において、一部の音域においてのみ、音高順に鍵の前端の鍵タッチ感が軽くなるようにし、他の音域においては、鍵の前端の鍵タッチ感を同一としてもよい。
【符号の説明】
【００５２】
１１ｗ・・・白鍵、１１ｂ・・・黒鍵、１２・・・鍵フレーム、ＳＫ，ＳＦ・・・支持部、ｓｋ１，ｓｋ２，ｓｋ３，ｓｋ４・・・支持板、ｓｆ１，ｓｆ２，ｓｆ３，ｓｆ４・・・支持体、ＰＮ・・・ピン、ＦＲ・・・フレーム
【図１】
0005817318.tif 000002
【図２】
0005817318.tif 000003
【図３】
0005817318.tif 000004
【図４】
0005817318.tif 000005
【図５】
0005817318.tif 000006
【図６】
0005817318.tif 000007
【図７】
0005817318.tif 000008
【図８】
0005817318.tif 000009